(57)【特許請求の範囲】
【請求項１】
マトリクス状に配置されて使用される太陽光発電パネルであって、
前記太陽光発電パネルは、隣接する太陽光発電パネルに配置されたアンテナと交信する複数のアンテナと、
前記複数のアンテナを介して探索コマンドを受信する受信手段と、
受信した探索コマンドに応答して、探索コマンドを、前記探索コマンドを受信したアンテナ以外のアンテナから送信する送信手段と、
前記送信手段から送信した探索コマンドに対する応答信号を受信しないときに、自太陽光発電パネルのパネルＩＤを含む応答信号を生成して、前記探索コマンドを受信したアンテナから送信し、前記送信手段から送信した探索コマンドに対する応答信号を受信したときに、前記応答信号に自太陽光発電パネルのパネルＩＤを含む情報を付加して、前記探索コマンドを受信したアンテナから送信する応答手段と、
を備える、太陽光発電パネル。
【請求項２】
前記太陽光発電パネルは、少なくとも３つのアンテナを備え、
前記応答手段は、前記送信手段から送信した探索コマンドに対する応答信号を受信しないときに、前記探索コマンドを送信したアンテナのＩＤと自太陽光発電パネルのパネルＩＤと前記探索コマンドを受信したアンテナのＩＤとを含む応答信号を生成して、前記探索コマンドを受信したアンテナから送信し、前記送信手段から送信した探索コマンドに対する応答信号を受信したときに、前記応答信号に前記応答信号を受信したアンテナのＩＤと自太陽光発電パネルのパネルＩＤを含む情報を付加して応答信号を生成して、前記探索コマンドを受信したアンテナから送信する、
請求項１に記載の太陽光発電パネル。
【請求項３】
前記太陽光発電パネルは、２つのアンテナを備え、
前記応答手段は、前記送信手段から送信した探索コマンドに対する応答信号を受信しないときに、自太陽光発電パネルのパネルＩＤを含む応答信号を生成して、前記探索コマンドを受信したアンテナから送信し、前記送信手段から送信した探索コマンドに対する応答信号を受信したときに、前記応答信号に自太陽光発電パネルのパネルＩＤを含む情報を付加して、前記探索コマンドを受信したアンテナから送信する、
請求項１に記載の太陽光発電パネル。
【請求項４】
前記太陽光発電パネルは、さらに、センサを備え、
前記応答手段は、前記送信手段から送信した探索コマンドに対する応答信号を受信しないときに、自太陽光発電パネルのパネルＩＤと前記センサの測定データとを含む応答信号を生成して、前記探索コマンドを受信したアンテナから送信し、前記送信手段から送信した探索コマンドに対する応答信号を受信したときに、前記応答信号に自太陽光発電パネルのパネルＩＤと前記センサの測定データを含む情報を付加して、前記探索コマンドを受信したアンテナから送信する、
請求項１から３の何れか１項に記載の太陽光発電パネル。
【請求項５】
前記センサは、発電状況を示す物理量を測定するセンサと傾斜センサと日照量センサとの少なくとも１つを含む、
請求項４に記載の太陽光発電パネル。
【請求項６】
前記送信手段と前記応答手段とは、前記太陽光発電パネルで発電された電力で動作する、
請求項１から５の何れか１項に記載の太陽光発電パネル。
【請求項７】
前記アンテナは、前記太陽光発電パネルの側面に配置され、側面方向に磁束が生成されるよう構成されたコイルから構成される、
請求項１から６の何れか１項に記載の太陽光発電パネル。
【請求項８】
非磁性体金属で構成されたフレームを備える、
請求項７に記載の太陽光発電パネル。
【請求項９】
前記アンテナは、前記太陽光発電パネルの端面のパネル面に配置された通信用コイルから構成され、前記太陽光発電パネルは互いにコイル面が重なるように構成されている、
請求項１から８の何れか１項に記載の太陽光発電パネル。
【請求項１０】
前記アンテナは、前記太陽光発電パネルの出力ケーブルコネクタに配置されている、
請求項３に記載の太陽光発電パネル。
【請求項１１】
前記アンテナは、コイルから構成され、
前記コイルに交流電圧を印加するインバータを有する、
請求項１から１０の何れか１項に記載の太陽光発電パネル。
【請求項１２】
前記アンテナはコイルから構成され、
前記コイルが生成する誘導電力を前記送信手段と前記応答手段に供給する、
請求項１から１０の何れか１項に記載の太陽光発電パネル。
【請求項１３】
マトリクス状に配置された請求項１から１２の何れか１項に記載の前記太陽光発電パネルと、アンテナを有し、
前記太陽光発電パネルに探索コマンドを送信する送信手段と、前記太陽光発電パネルから応答信号を受信する受信手段と、受信した応答信号に基づいて複数の前記太陽光発電パネルの配置を求める配置解析手段と、
を備える太陽光発電システム。
【発明の詳細な説明】
【技術分野】
【０００１】
本発明は、太陽光発電パネル及び太陽光発電システムに関する。
【背景技術】
【０００２】
太陽光発電システムを施工する際、施工（予定）図と実施の施工との間に齟齬が生じることがある。このため、施工後、太陽光発電パネルの配線と配置を探査し、配線経路情報と配置情報を得ることが行われている。しかし、この探査作業は容易なものではない。【０００３】
この探査作業を簡易化する技術が非特許文献１に開示されている。この技術は、配線経路に高周波信号を印加し、その信号が検出される経路を探索することで、配線経路と配置を調査する。
【先行技術文献】
【非特許文献】
【０００４】
【非特許文献１】日刊工業新聞社太陽光発電システムの不具合事例ファイルpp.74
【発明の概要】
【発明が解決しようとする課題】
【０００５】
非特許文献１に開示されている技術は、施工後の太陽光発電システム内の高周波の伝播経路を探査する。このため、屋根上での作業が必要である。また、太陽光発電パネルの配置によっては、太陽光発電パネル上に乗った探索作業が必要となる場合がある。このように、非特許文献１に記載された探査方法は、作業性が低い。また、作業者がデータを収集するため、収集したデータの信頼が低い。【０００６】
本発明は、上記実情に鑑みて成されたものであり、太陽光発電パネルの正確な施工情報・配置情報を容易に収集することができる技術を提供することを目的とする。
【課題を解決するための手段】
【０００７】
本発明に係る太陽光発電パネルは、マトリクス状に配置されて使用される太陽光発電パネルであって、前記太陽光発電パネルは、隣接する太陽光発電パネルに配置されたアンテナと交信する複数のアンテナと、前記複数のアンテナを介して探索コマンドを受信する受信手段と、受信した探索コマンドに応答して、探索コマンドを、前記探索コマンドを受信したアンテナ以外のアンテナから送信する送信手段と、前記送信手段から送信した探索コマンドに対する応答信号を受信しないときに、自太陽光発電パネルのパネルＩＤを含む応答信号を生成して、前記探索コマンドを受信したアンテナから送信し、前記送信手段から送信した探索コマンドに対する応答信号を受信したときに、前記応答信号に自太陽光発電パネルのパネルＩＤを含む情報を付加して、前記探索コマンドを受信したアンテナから送信する応答手段と、を備える。
【発明の効果】
【０００８】
上記のように太陽光発電パネルを構成したため、パネル個体の情報、パネルの物理的な配置情報や、太陽光発電パネルの直列接続順序などの配線施工情報が施工後にも容易に収集可能とした。また、パネル個々の発電状況を計測する手段も併せて保有し、その情報を近距離通信用コイルを経由して取得し、無線で伝送するようにシステムを構成しているため、物理的な配置情報と共に、パネルの発電動作モニタも可能となり、発電不良パネルの特定が容易に行うことが可能となり、太陽光発電システムの運用管理にかかる作業の効率化を図ることができる。 【０００９】
また、ＩＤで示されるパネル個体の情報も容易に取り出すことが可能となり、太陽光発電パネル出荷から、設置までの流通経路等でのトレーサビリティ向上と盗品等の検出・管理などが容易に実現可能となる。
【図面の簡単な説明】
【００１０】
【図１】本発明の実施形態１における太陽光発電パネルの構成を示す図である。
【図２】本発明の実施形態１における太陽光発電パネルのブロック図である。
【図３】太陽光発電パネルの配置例を示す図である。
【図４】コイルの配置位置と磁束との関係を示す図である。
【図５】計測装置のブロック図である。
【図６】マトリクス状に配置された複数の太陽光発電パネルの配置を探索する処理のフローチャートである。
【図７】太陽光発電パネルの配置情報を求める手順を説明するための図である。
【図８】本発明の実施形態２における太陽光発電パネルのブロック図である。
【図９】本発明の実施形態２における太陽光発電パネルの構成を示す図である。
【図１０】直列接続された複数の太陽光発電パネルの接続関係を探索する処理を示すフローチャートである。
【図１１】直列接続された複数の太陽光発電パネルの接続関係を示す表示画面の例を示す図である。
【図１２】本発明の実施形態３及び４の太陽光発電パネルのブロック図である。
【図１３】太陽光発電パネルの動作状況を示す表示画像の例を示す図である。
【図１４】本発明の実施形態３の変形例３における太陽光発電パネルのブロック図である。
【図１５】本発明の実施形態５における太陽光発電パネルのブロック図である。
【図１６】リーダ装置のブロック図である。
【図１７】本発明の実施形態５における太陽光発電パネルのブロック図である。
【図１８】太陽光発電パネルの端部に段差を形成し、コイルを端部に配置した例を示す図である。
【図１９】太陽光発電パネル上にコイルを構成した例を示す図である。
【図２０】太陽光発電パネルを市松状に配置した例を示す図である。
【図２１】太陽光発電パネルの形状の他の例を示す図である。
【図２２】太陽光発電パネルの外郭フレームとコイルの構造を示した図である。
【発明を実施するための形態】
【００１１】
以下、本発明の実施の形態に係る太陽光発電パネルについて、図面を参照しながら説明する。
【００１２】
（実施形態１）
本実施の形態に係る太陽光発電パネル９（９Ａ〜９Ｆ）は、図３に示すように、マトリクス状に配列されて使用されるものである。個々の太陽光発電パネル９は、図１に示すように、太陽電池部１、＋（正）極端子ボックス１ａ、＋（正）出力コネクタ１ｂ、−（負）極端子ボックス１ｃ、−（負）出力コネクタ１ｄ、電流センサ５、収納ボックス７、上端コイル８ｕ、下端コイル８ｄ、右端コイル８ｒ、左端コイル８ｌを備えている。
【００１３】
太陽電池部１は、例えば、エネルギー変換効率が高いとされるシリコン結晶を用いた太陽電池から構成され、太陽光等が持つ光エネルギーを電力に変換し出力する。シリコン系の太陽電池としては、結晶シリコン型、多結晶シリコン型やアモルファスシリコン型などがある。
【００１４】
＋極端子ボックス１ａと−極端子ボックス１ｃとは、発電出力の導出口として、太陽電池部１の＋出力端子と−出力端子にそれぞれ接続されている。
【００１５】
＋出力コネクタ１ｂと−出力コネクタ１ｄは、＋極端子ボックス１ａと−極端子ボックス１ｃからそれぞれ引き出された電気配線の先端に取り付けられている。また、＋出力コネクタ１ｂと−出力コネクタ１ｄは、隣接する太陽光発電パネル９の反対極性の出力コネクタに接続可能に、例えば、一方が雄構造、他方が雌構造に構成されている。
【００１６】
電流センサ５は、−極端子ボックス１ｃと−出力コネクタ１ｄ間の電気配線上に設けられ、太陽電池部１の発電電流Ｉを計測し、後述する制御部２に出力する。
【００１７】
収納ボックス７には、後述する制御部２や電源部３など、太陽光発電パネル９を制御するための機器が収容されている。収納ボックス７の詳細は図２を参照して後述する。
【００１８】
上端コイル８ｕは太陽光発電パネル９の上端に、下端コイル８ｄは下端に、右端コイル８ｒは右端に、左端コイル８ｌは左端に、それぞれ、配置されている。図３に示すように、太陽光発電システムの施工後、上端コイル８ｕは、上側に隣接する太陽光発電パネル９の下端コイル８ｄに対向し、下端コイル８ｄは、下側に隣接する太陽光発電パネル９の上端コイル８ｕに対向し、右端コイル８ｒは、右側に隣接する太陽光発電パネル９の左端コイル８ｌに対向し、左端コイル８ｌは、左側に隣接する太陽光発電パネル９の右端コイル８ｒに対向する。
【００１９】
なお、上端コイル８ｕ〜左端コイル８ｌ、及び、後述のコイル８ｐ、コイル８ｍを総称して、コイル８と呼ぶ。
【００２０】
コイル８は、図４に断面で例示するように、それぞれ、磁束の方向が太陽光発電パネル９の主面と平行（端面に垂直）になるように設置されている。隣接する太陽光発電パネル９に設置された対向するコイル８間の磁気共鳴作用（相互誘導作用）により、隣接する太陽光発電パネル９間で信号伝送が可能である。コイル８は、隣接する太陽光発電パネル９のコイル８相互の磁気結合を得ることができれば任意である。例えば、コイル８は、空芯コイルであっても、コア付コイルであってもよい。
【００２１】
次に、図２を参照しながら、収納ボックス７に収納されている機器について説明する。
収納ボックス７には、制御部２、電源部３、ＩＤ部４、温度センサ６が収納されている。
【００２２】
制御部２は、ＣＰＵ(Central Processing Unit)、メモリ、Ａ／Ｄ(Analog to Digital)変換器などから構成され、太陽光発電パネル９の動作を制御する。制御部２のＳ＋端子とＳ−端子には、太陽電池部１の＋極端子ボックス１ａと−極端子ボックス１ｃから電圧が印加される。制御部２は、Ｓ＋端子とＳ−端子との間の電圧を測定することにより、太陽電池部１の発電電圧Ｖを計測する。
【００２３】
また、制御部２は、通信部２ａを備える。通信部２ａは、各コイル８に信号を供給して磁気信号を生成させ、対向して配置されているコイル８に送信させる。また、通信部２ａは、各コイル８が他のコイル８が送信した磁気信号により電圧を誘起した場合には、これを検波し、検波信号をＣＰＵに供給する。
【００２４】
また、制御部２は、太陽電池部１の発電電圧Ｖ、電流センサ５が検出した発電電流Ｉ、温度センサ６が測定した温度Ｔ、などに基づいて、保護動作など、太陽光発電パネル９の制御を行う。
【００２５】
電源部３は、太陽電池部１が発電する電力を引き込み、動作電圧ＶｃｃとＧ（グランド）を生成し、制御部２に供給する。
【００２６】
ＩＤ部４は、不揮発性メモリやディップスイッチなどの設定用スイッチから構成され、この太陽光発電パネル９に付与されたＩＤ（識別情報）（以下、パネルＩＤと呼ぶ）を記憶する。
【００２７】
温度センサ６は、太陽電池部１の温度Ｔを計測し、制御部２に通知する。
【００２８】
次に、図５を参照しながら、施工された太陽光発電システムを構成する太陽光発電パネル９の施工情報（接続情報、配置情報）を取得する際に用いられる計測装置１０について説明する。
【００２９】
計測装置１０は、図５に示すように、コイル１０ａ、電源回路１０ｂ、制御部１０ｃ、無線モジュール１０ｄを備える。
【００３０】
コイル１０ａは、太陽光発電パネル９のコイル８を介して制御部２と通信するための通信媒体（アンテナ）として用いられる。
【００３１】
電源回路１０ｂは、太陽光発電パネル９の電源部３から電力を取り込み、制御部１０ｃ及び無線モジュール１０ｄに、動作用電力を供給する。
【００３２】
制御部１０ｃは、操作端末１１からの探索コマンドを無線モジュール１０ｄを介して受信し、探索コマンドをコイル１０ａから磁気信号として出力する。また、制御部１０ｃは、探索結果をコイル１０ａを介して受信し、受信した探索結果を無線モジュール１０ｄを介して操作端末１１に送信する。
【００３３】
無線モジュール１０ｄは、制御部１０ｃと操作端末１１との無線通信の中継機能を担う。
【００３４】
操作端末１１は、近距離無線通信が可能な、任意の操作端末、例えば、タブレット端末から構成される。操作端末１１は、制御部１０ｃから無線モジュール１０ｄを介して送信される各種情報を表示部１７に表示する。
【００３５】
次に、図３に示すように太陽光発電パネル９がマトリクス状に配置された状態で、太陽光発電パネル９がどのように配置されているかを探索する手順を説明する。
【００３６】
事前準備として、太陽光発電システムを構成する太陽光発電パネル９が備えるコイル８のうち、マトリクスの外周に位置する任意のものに、計測装置１０のコイル１０ａを対向させる。また、電源回路１０ｂを電源部３に接続し、電力を確保する。
【００３７】
一例を図７に示す。この構成では、６枚の太陽光発電パネル９Ａ〜９Ｆが配置されている。また、太陽光発電パネル９Ｅの下端コイル８ｄに計測装置１０のコイル１０ａが対向している。
【００３８】
続いて、作業者は、操作端末１１から、無線通信により、探索コマンドを計測装置１０に送信する。
計測装置１０の制御部１０ｃは、無線モジュール１０ｄを介して、探索コマンドを受信する。制御部１０ｃは、探索コマンドを、コイル１０ａから太陽光発電パネル９Ｅの下端コイル８ｄに向けて送信する。
【００３９】
太陽光発電パネル９Ｅの制御部２は、通信部２ａを介して、下端コイル８ｄから探索コマンドを受信する。
制御部２は、探索コマンドを受信すると、図６に示す配置探索処理（パネル配置探索処理）を開始する。
【００４０】
制御部２は、予め定められている基準期間内に、探索コマンドを受信済であるか否かを判別する（ステップＳ１１）。
受信済であれば（ステップＳ１１；ＹＥＳ）、処理が重複するため、探索拒否信号を送信（反信）して、今回の処理を終了する（ステップＳ２２）。
一方、探索コマンドを基準期間内に受信していないと判別した場合（ステップＳ１１；ＮＯ）、探索コマンドを受信したコイル８以外のコイルを予め設定されている順番に１つ選定し、探索コマンドを送信する（ステップＳ１２）。なお、順番は、例えば、探索コマンドを受信したコイル８を基準として時計回り、反時計回りなど、任意である。
【００４１】
続いて、タイマをリセットし、計時を開始する（ステップＳ１３）。
【００４２】
次に、探索コマンドを送信したコイル８を介して、隣接する太陽光発電パネル９から応答信号を受信したか否かを判別する（ステップＳ１４）。
【００４３】
応答信号を受信していないと判別した場合（ステップＳ１４；ＮＯ）、予め設定されている応答待ち時間が経過したか否かを、タイマの計時から判別する（ステップＳ１５）。
【００４４】
応答待ち時間が経過していないと判別した場合（ステップＳ１５；ＮＯ）、ステップＳ１４にリターンし、応答信号の受信を待機する。
【００４５】
一方、ステップＳ１４で応答信号を受信したと判別した場合（ステップＳ１４；ＹＥＳ）、受信した応答信号が探索拒否信号であるか否かを判別する（ステップＳ１８）。
受信した応答信号が探索拒否信号である場合（ステップＳ１８；ＹＥＳ）、後述するステップＳ２０に進む。
一方、受信した応答信号が探索拒否信号ではない場合（ステップＳ１８；ＮＯ）、ステップＳ１９に進む。
【００４６】
ステップＳ１９において、制御部２は、受信した応答信号に、その伝達経路を含ませるために、探索コマンドを受信したコイル８のＩＤとＩＤ部４に格納されている自己のパネルＩＤとを追加する（ステップＳ１７）。すなわち、新たな応答信号＝［（受信した応答信号），応答信号を受信したコイル８のＩＤ：パネルＩＤ］を生成する。
【００４７】
一方、ステップＳ１５で、応答待ち時間が経過したと判別した場合（ステップＳ１５；ＹＥＳ）、すなわち、ステップＳ１２で探索コマンドを送信してから、応答信号を受信できないまま応答待ち時間が経過した場合、探索コマンドの送信回数が、予め定められている基準回数に達しているか否かを判別する（ステップＳ１６）。
【００４８】
同一のコイル８からの探索コマンドの送信回数が基準回数に達していないと判別した場合（ステップＳ１６；ＮＯ）、ステップＳ１２にリターンし、探索コマンドを再送信する。
【００４９】
一方、ステップＳ１６で、探索コマンドが同一のコイル８から基準回数送信されていると判別した場合（ステップＳ１６；ＹＥＳ）、応答信号を受け取ることができないので、探索コマンドを送信したコイル８のＩＤとＩＤ部４に記憶されている自己のパネルＩＤと探索コマンドを受信したコイル８のＩＤを含む応答信号を生成する。すなわち、［探索コマンドを送信したコイル８のＩＤ：パネルＩＤ：探索コマンドを受信したコイル８のＩＤ］を応答信号として生成する。
【００５０】
ステップＳ１７またはＳ１９の終了後、制御部２は、探索コマンドを受信したコイル８以外の３つのコイルの全てに探索コマンドを送信したか否かを判別する（ステップＳ２０）。探索コマンドを送信していないコイル８が存在すると判別した場合（ステップＳ２０；ＮＯ）、ステップＳ１２にリターンし、探索コマンドを送信していないコイル８を選択し、選択したコイル８に探索コマンドを送信する。
【００５１】
一方、ステップＳ２０で、探索コマンドを受信したコイル８以外の全コイルに探索コマンドを送信したと判別した場合（ステップＳ２０；ＹＥＳ）、ステップＳ１７またはステップＳ１９で生成した応答信号を、探索コマンドを受信したコイル８に送信する（ステップＳ２１）。
【００５２】
以上で、太陽光発電パネル９Ｅの制御部２は、今回の配置探索処理を終了する。
【００５３】
太陽光発電パネル９Ｅ以外の太陽光発電パネル９Ａ〜９Ｄ及び９Ｆの制御部２も、何れかのコイル８から探索コマンドを受信した場合には、上述と同様の配置探索処理を実行する。
【００５４】
計測装置１０の制御部１０ｃは、太陽光発電パネル９Ｅの対向しているコイル８からコイル１０ａを介して応答信号を受信する。
【００５５】
受信した応答信号は、太陽光発電パネル９上の応答が得られなかったコイル８のＩＤとパネルＩＤと探索コマンドを受信したコイル８のＩＤと、さらに、その応答信号の伝達経路を示す情報を含む。
【００５６】
制御部１０ｃは、受信した応答信号を解析することにより、太陽光発電パネル９の配置・配列を示す配置情報を求める。
【００５７】
次に、個々の太陽光発電パネル９（の制御部２）が上述の配置探索処理を行う結果、太陽光発電システム全体と計測装置１０がどのような動作を行うかを、図７の例に基づいて説明する。
【００５８】
なお、理解を容易にするため、図７に示す太陽光発電パネル９（９Ａ〜９Ｆ）のうち、９Ｂ，９Ｃ，９Ｅ，９Ｆについてのみ検討するものとする。
【００５９】
まず、計測装置１０のコイル１０ａから、太陽光発電パネル９Ｅの下端コイル８ｄに探索コマンドを送信する。
【００６０】
太陽光発電パネル９Ｅの制御部２は、下端コイル８ｄから探索コマンドを受信する。制御部２は、受信した探索コマンドに応答して、右端コイル８ｒと上端コイル８ｕに探索コマンドを順次送信する（ステップＳ１１）。なお、左端コイル８ｌにも探索コマンドを送信するが、上述したように、ここでは検討を行わない。
【００６１】
太陽光発電パネル９Ｆの制御部２は、太陽光発電パネル９Ｅの制御部２が右端コイル８ｒに送信した探索コマンドを、左端コイル８ｌから受信する。太陽光発電パネル９Ｆの制御部２は、受信した探索コマンドに応答して、下端コイル８ｄと右端コイル８ｒと上端コイル８ｕに探索コマンドを順次送信する（ステップＳ１２）。
【００６２】
同様に、太陽光発電パネル９Ｂの制御部２は、太陽光発電パネル９Ｅの制御部２が上端コイル８ｕに送信した探索コマンドを、下端コイル８ｄから受信する。太陽光発電パネル９Ｂの制御部２は、受信した探索コマンドに応答して、右端コイル８ｒと上端コイル８ｕに探索コマンドを順次送信する（ステップＳ１２）。
【００６３】
太陽光発電パネル９Ｃの制御部２は、太陽光発電パネル９Ｆ及び太陽光発電パネル９Ｂから送信された探索コマンドを、各々、下端コイル８ｄと左端コイル８ｌから受信する。ここでは、下端コイル８ｄからの探索コマンドを先に受信したものと仮定する。制御部２は、下端コイル８ｄから受信した探索コマンドに応答して、右端コイル８ｒと上端コイル８ｕと左端コイル８ｌに探索コマンドを順次送信する（ステップＳ１２）。
【００６４】
太陽光発電パネル９Ｃの制御部２は、右端コイル８ｒと上端コイル８ｕとから応答信号を受け取ることができないと判断する（ステップＳ１６；ＹＥＳ）。このため、［探索コマンドを送信したコイル８のＩＤ＝ｒ：パネルＩＤ＝Ｃ：探索コマンドを受信したコイル８のＩＤ＝ｄ］を含む応答信号を生成する。同様に、［探索コマンドを送信したコイル８のＩＤ＝ｕ：パネルＩＤ＝Ｃ：探索コマンドを受信したコイル８のＩＤ＝ｄ］を含む応答信号を生成する。制御部２は、生成した２つの応答信号を、下端コイル８ｄから太陽光発電パネル９Ｆの上端コイル８ｕに伝達する。
また、太陽光発電パネル９Ｃの制御部２は、太陽光発電パネル９Ｂから受信した探索コマンドに対して、探索拒否信号を返送する（ステップＳ２２）。
【００６５】
太陽光発電パネル９Ｆの制御部２は、下端コイル８ｄと右端コイル８ｒとから応答信号を受け取ることができないと判断する（ステップＳ１６；ＹＥＳ）。このため、［探索コマンドを送信したコイル８のＩＤ＝ｄ：パネルＩＤ＝Ｆ：探索コマンドを受信したコイル８のＩＤ＝ｌ］を含む応答信号を生成する。同様に、［探索コマンドを送信したコイル８のＩＤ＝ｒ：パネルＩＤ＝Ｆ：探索コマンドを受信したコイル８のＩＤ＝ｌ］を含む応答信号を生成する。さらに、太陽光発電パネル９Ｃから受信した各応答信号に、応答信号を受信したコイル８のＩＤ＝ｕと太陽光発電パネル９を示すＩＤ＝Ｆを付加する。制御部２は、４つの応答信号を、左端コイル８ｌから太陽光発電パネル９Ｅの右端コイル８ｒに伝達する。
【００６６】
太陽光発電パネル９Ｂの制御部２は、上端コイル８ｕから応答信号を受け取ることができないと判断する（ステップＳ１６；ＹＥＳ）。このため、［探索コマンドを送信したコイル８のＩＤ＝ｕ：パネルＩＤ＝Ｂ：探索コマンドを受信したコイル８のＩＤ＝ｄ］を含む応答信号を生成し、下端コイル８ｄから太陽光発電パネル９Ｅの上端コイル８ｕに伝達する。
また、太陽光発電パネル９Ｂの制御部２は、太陽光発電パネル９Ｃからの探索コマンドに対し、探索拒否信号を返送する（ステップＳ２２）。
【００６７】
太陽光発電パネル９Ｅの制御部２は、太陽光発電パネル９Ｂから受信した１つの応答信号に、応答信号を受信したコイル８のＩＤ＝ｕとパネルＩＤ＝Ｅを付して、新たな応答信号を生成する。また、制御部２は、太陽光発電パネル９Ｆから受信した４つの応答信号に、応答信号を受信したコイル８のＩＤ＝ｒとパネルＩＤ＝Ｅを付して、４つの新たな応答信号を生成する。制御部２は、生成した計５つの新たな応答信号を、下端コイル８ｄを介して計測装置１０に送信する。
【００６８】
計測装置１０は、コイル１０ａを介して、上述した５つの応答信号を受信する。
【００６９】
これらの５つの応答信号は、以下のようになる。
（１）  （（ｕ：Ｂ：ｄ），ｕ：Ｅ）
（２）  （（d：Ｆ：ｌ），ｒ：Ｅ）
（３）  （（ｒ：Ｆ：ｌ），ｒ：Ｅ）
（４）  （（ｒ：Ｃ：ｄ），ｕ：Ｆ，ｒ：Ｅ）
（５）  （（ｕ：Ｃ：ｄ），ｕ：Ｆ，ｒ：Ｅ）
ここで、ｕは上端コイル８ｕ、ｄは下端コイル８ｄ、ｒは右端コイル８ｒ、ｌは左端コイル８ｌのＩＤを表す。また、Ａ〜Ｆは、太陽光発電パネル９Ａ〜９ＦのＩＤを表す。
【００７０】
（１）は、太陽光発電パネル９Ｂの上端コイル８ｕに送信した探索コマンドに対する応答が未検出であり、応答信号が、太陽光発電パネル９Ｂの下端コイル８ｄから送信され、太陽光発電パネル９Ｅの上端コイル８ｕが受信した、ことを意味する。
【００７１】
（２）は、太陽光発電パネル９Ｆの下端コイル８ｄに送信した探索コマンドに対する応答が未検出であり、応答信号が、太陽光発電パネル９Ｆの左端コイル８ｌから送信され、太陽光発電パネル９Ｅの右端コイル８ｒが受信した、ことを意味する。
【００７２】
（３）は、太陽光発電パネル９Ｆの右端コイル８ｒに送信した探索コマンドに対する応答が未検出であり、応答信号が、太陽光発電パネル９Ｆの左端コイル８ｌから送信され、太陽光発電パネル９Ｅの上端コイル８ｒが受信した、ことを意味する。
【００７３】
（４）は、太陽光発電パネル９Ｃの右端コイル８ｒに送信した探索コマンドに対する応答が未検出であり、応答信号が、太陽光発電パネル９Ｃの下端コイル８ｄから送信され、この応答信号を太陽光発電パネル９Ｆの上端コイル８ｕと太陽光発電パネル９Ｅの右端コイル８ｒとが順次受信した、ことを意味する。
【００７４】
（５）は、太陽光発電パネル９Ｃの上端コイル８ｕに送信した探索コマンドに対する応答が未検出であり、応答信号が、太陽光発電パネル９Ｃの下端コイル８ｄから送信され、この応答信号を、太陽光発電パネル９Ｆの上端コイル８ｕと太陽光発電パネル９Ｅの右端コイル８ｒとが順次受信した、ことを意味する。
【００７５】
（１）から、太陽光発電パネル９Ｅの上に太陽光発電パネル９Ｂがあり、太陽光発電パネル９Ｂの上には何もない、ことが判別される。
【００７６】
（２）から、太陽光発電パネル９Ｅの右に太陽光発電パネル９Ｆがあり、太陽光発電パネル９Ｆの下には何もない、ことが判別される。
【００７７】
（３）から、太陽光発電パネル９Ｅの右に太陽光発電パネル９Ｆがあり、太陽光発電パネル９Ｆの右には何もない、ことが判別される。
【００７８】
（４）から、太陽光発電パネル９Ｅの右に太陽光発電パネル９Ｆがあり、太陽光発電パネル９Ｆの上に太陽光発電パネル９Ｃがあり、太陽光発電パネル９Ｃの右には何もない、ことが判別される。
【００７９】
（５）から、太陽光発電パネル９Ｅの右に太陽光発電パネル９Ｆがあり、太陽光発電パネル９Ｆの上に太陽光発電パネル９Ｃがあり、太陽光発電パネル９Ｃの上には何もない、ことが判別される。
【００８０】
制御部１０ｃは、上記のように応答信号を解析し、太陽光発電パネル９Ｅの上に太陽光発電パネル９Ｂ、太陽光発電パネル９Ｅの右に太陽光発電パネル９Ｆ、太陽光発電パネル９Ｆの上に太陽光発電パネル９Ｃが配置されているという配置情報を得る。
【００８１】
さらに、制御部１０ｃは、配置情報から、図３に示す配置図を生成し、無線モジュール１０ｄを介して操作端末１１に送信する。操作端末１１は、受信した配置情報をビジュアルに表示する。作業者は、この表示から、容易に太陽光発電パネル９の配置を知ることができる。
【００８２】
なお、上記の説明では、操作端末１１から探索コマンドなどを送信し、取得情報を操作端末１１の表示部１７に表示しているが、計測装置１０から直接探索コマンド発行などの操作をし、取得情報を計測装置１０に表示するようにしてもよい。
【００８３】
以上説明したように、本実施の形態によれば、作業者は、容易に太陽光発電パネル９の配置情報を求めることができる。すなわち、太陽光発電システムの施工状態を示す施工情報を容易に取得できる。また、情報取得作業が自動化されているため、情報の信頼度が高い。また、作業者の作業が簡易化される。
【００８４】
（変形例１）
上記実施の形態においては、探索拒否信号に関する情報を計測装置１０に伝達していない。しかしながら、応答信号と同様に、探索拒否信号に伝達経路を示す情報を付して、計測装置１０に伝達してもよい。これにより、太陽光発電パネル９の配置情報だけでなく、コイル８とコイル８の対向関係を示す情報も取得可能となる。
【００８５】
（実施形態２）
上記実施の形態においては、太陽光発電パネル９の物理的な配置を示す配置情報を取得する例について説明した。この発明は、これに限定されない。太陽光発電パネル９の接続関係（配線経路）の探索にも応用可能である。
【００８６】
以下、太陽光発電パネル９の接続関係を探索する実施形態を説明する。
本実施の形態においては、図８及び９に示すように、太陽光発電パネル９の＋出力コネクタ１ｂは、コイル８ｐを有し、−出力コネクタ１ｄは、コイル８ｍを有している。隣接する太陽光発電パネル９の＋出力コネクタ１ｂ（または、−出力コネクタ１ｄ）と隣接する太陽光発電パネル９の−出力コネクタ１ｄ（または、＋出力コネクタ１ｂ）が接続されると、隣接する太陽光発電パネル９が直列接続される。このとき、隣接する太陽光発電パネル９の＋出力コネクタ１ｂに配置されたコイル８ｐと−出力コネクタ１ｄに配置されたコイル８ｍとが対向する。
【００８７】
この状態で、終端の太陽光発電パネル９の＋出力コネクタ１ｂに配置されたコイル８ｐまたは−出力コネクタ１１ｄに配置されたコイル８ｍに計測装置１０のコイル１０ａを近接させて、探索コマンドを送信することにより、接続関係を探索し、接続情報（配線情報）を得ることができる。
【００８８】
以下、図１０を参照しながら、接続探索処理について説明する。
まず、計測装置１０から接続探索コマンド（以下、単に探索コマンドを呼ぶ）を終端の太陽光発電パネル９のコイル８ｐまたは８ｍに送信すると、終端の太陽光発電パネル９の制御部２は、この探索コマンドをコイル８ｐまたは８ｍ、通信部２ａを介して受信する。
なお、以下の説明では、理解を容易にするため、終端の太陽光発電パネル９のコイル８ｐに探索コマンドが送信されたものとする。
【００８９】
まず、制御部２は、通信部２ａを介して、探索コマンドを、太陽光発電パネル９の次のコイル８ｍに送信する（ステップＳ３１）。続いて、制御部２は、タイマをリセットし、計時をスタートする（ステップＳ３２）。
【００９０】
その後、制御部２は、コイル８ｍより応答信号が受信したか否かを判別し（ステップＳ３３）、受信していなければ（ステップＳ３３；ＮＯ）、予め定められている応答待ち時間が経過したか否かを判別する（ステップＳ３４）。
【００９１】
応答待ち時間が経過していなければ（ステップＳ３４；ＮＯ）、ステップＳ３３にリターンし、応答信号の受信を待機する。
【００９２】
応答信号を受信したと判別した場合（ステップＳ３３；ＹＥＳ）、受信した応答信号に、自己のパネルＩＤをＩＤ部４から読み出して付加する（ステップＳ３７）。
【００９３】
一方、ステップＳ３４で、応答待ち時間が経過したと判別した場合（ステップＳ３４；ＹＥＳ）、探索コマンドの送信回数が予め設定されている基準回数に達したか否かを判別する（ステップＳ３５）。送信回数が基準回数に達していないと判別した場合は、ステップＳ３１にリターンする。
【００９４】
一方、探索コマンドを基準回数送信済であると判別した場合（ステップＳ３５；ＹＥＳ）、応答信号を受信できないので、自己のパネルＩＤを含む応答信号を作成する（ステップＳ３６）。
【００９５】
ステップＳ３６またはＳ３７の実行後、制御部２は、応答信号を、探索コマンドを受信したコイル８ｐを介して、計測装置１０に送信し（ステップＳ３８）、今回の接続探索処理を終了する。
【００９６】
他の太陽光発電パネル９の制御部２も、前段の太陽光発電パネル９のコイル８ｍからステップＳ３１で送信された探索コマンドを、コイル８ｐを介して受信すると、同様の接続探索処理を実行する。
【００９７】
計測装置１０は、終端の太陽光発電パネル９のコイル２ｐから応答信号を受信し、これを解析することにより、太陽光発電パネル９の接続数及び接続の順番を示す接続情報（配線情報）を得る。計測装置１０は、接続情報を、操作端末１１に送信する。操作端末１１は、受信した接続情報に基づいて、太陽光発電パネル９の接続関係を示す画像などを生成し、図１１に例示するように、表示部１７に表示する。
【００９８】
このような構成によれば、太陽光発電パネル９の接続情報を容易かつ正確に取得できる。
【００９９】
（変形例２）
実施形態１及び２において、配置情報や接続情報を取得するタイミングは、太陽光発電システムの施工完了時に限定されない。これらの情報を取得するタイミングは任意である。例えば、太陽光発電システムが稼働状態にあるときに、配置情報や接続情報を求めても良い。
【０１００】
（実施形態３）
上記実施の形態においては、計測装置１０は、配置情報および／または接続情報を収集した。この発明はこれに限定されない。計測装置１０は、種々の情報を収集可能である。
【０１０１】
以下、一例として、各パネルＩＤに、その太陽光発電パネル９の動作状況を示す各種パラメータを付加することにより、計測装置１０が、配置情報や接続情報と共に、各種パラメータを収集する実施形態を説明する。
【０１０２】
本実施形態においては、制御部２は、図６のステップＳ１７で応答信号を作成する際に、太陽電池部１の発電状態を示す物理量である、発電電圧Ｖと発電電流Ｉと温度Ｔを取得し、［探索コマンドを送信したコイルのＩＤ：パネルＩＤ，発電電圧Ｖ，発電電流Ｉ，温度Ｔ：探索コマンドを受信したコイルのＩＤ］から構成される応答信号を生成する。また、制御部２は、図６のステップＳ１９で、受信した応答信号に自己のパネルＩＤを追加する際に、［応答信号を受信したコイルのＩＤ：パネルＩＤ，発電電圧Ｖ，発電電流Ｉ，温度Ｔ］を追加する。
【０１０３】
同様に、制御部２は、図１０のステップＳ３６で応答信号を作成する際に、［パネルＩＤ，発電電圧Ｖ，発電電流Ｉ，温度Ｔ］を含む応答信号を生成する。また、制御部２は、ステップＳ３７で、受信した応答信号に自己のパネルＩＤを追加する際に、［パネルＩＤ，発電電圧Ｖ，発電電流Ｉ，温度Ｔ］を追加する。
【０１０４】
計測装置１０は、応答信号を解析することにより、配置情報や接続情報と共に、各太陽光発電パネル９の、発電電圧Ｖ、発電電流Ｉ、温度Ｔなどの動作状態を示すパラメータを収集する。
【０１０５】
計測装置１０は、収集したパラメータを整理し、例えば、図１３に示す画像を生成し、操作端末１１の表示部１７に表示させる。作業者は、例えば、太陽光発電システム施工後の検査運転の段階で、太陽光発電パネル９の配置情報や接続情報を取得すると共に各太陽光発電パネル９の動作状態を得ることができる。
【０１０６】
なお、パラメータを収集するためのコマンド（収集コマンド）を、探索コマンドとは別のものとしてもよい。この場合、制御部２は、探索コマンドを受信した際には、コイル８のＩＤを応答信号に含めず、パネルＩＤと測定パラメータを応答信号に含めるようにしてもよい。
【０１０７】
さらに、制御部２が、測定データから、太陽光発電パネル９の正常・異常（故障）を判別し、正常・異常を示す状態情報を応答信号に含めてもよい。
【０１０８】
具体的に説明すると、太陽光発電パネル９が故障した場合、例えば、太陽電池部１内部のセルが断線したり、発電性能が劣化している場合、発電電圧Ｖや発電電流Ｉが標準値よりも小さくなる。また、太陽電池部１の発電量は、日照量Ｓに依存する。例えば、発電電流は、日射量にほぼ比例する。さらに、太陽電池部１は、動作温度により発電性能が変化する。
【０１０９】
そこで、各太陽光発電パネル９に、図１３に示すように、日照量Ｓを測定する追加センサ（以下、日照量センサ）１３を配置する。そして、温度センサ６により検出された温度Ｔが基準範囲内に位置し、かつ、日照量センサ１３により測定された日照量Ｓに対応する基準値より小さい発電電圧Ｖ、発電電流Ｉが得られない場合には、制御部２は、何らかの故障があると判別する。
【０１１０】
この場合、制御部２は、故障を示す状態情報を、パネルＩＤと共に、応答信号に追加する。
このような構成とすれば、作業者は、操作端末１１上で、各太陽光発電パネル９の正常・故障の別を、確認できる。また、故障と判別した際の発電電圧Ｖ、発電電流Ｉ、温度Ｔ、日照量Ｓなどのパラメータを状態情報に含めても良い。測定装置１０は、太陽光発電パネル９から受信した応答信号を解析し、故障を示す状態情報を検出した場合には、故障しているパネルＩＤ，その配置情報、接続情報、発電電圧Ｖ，発電電流Ｉ，温度Ｔ，日照量Ｓ，等を操作端末１１に伝達する。
操作端末１１は、例えば、図１２に示す画面１７に、上記の情報を追加して表示する。
【０１１１】
このような構成とすれば、ユーザは、操作端末１１上で、各太陽光発電パネル９の正常・故障の別を、確認できる。
なお、日照量センサ１３を複数の太陽光発電パネル９に１つ配置し、１つの日照量センサ１３で取得したデータを複数の太陽光発電パネル９の制御部２に供給するように構成してもよい。
【０１１２】
また、日照量センサ１３を、太陽光発電パネル９に配置する代わりに、測定装置１０に配置（または、接続し）、日照量センサ１３で測定した日照量Ｓを、探索コマンド（または、収集コマンド）に含めて、各太陽光発電パネル９に配信するようにしてもよい。この場合、太陽光発電パネル９の各制御部２は、受信した探索コマンドから日照量Ｓを求め、故障判定に使用する。
【０１１３】
また、日照量Ｓを、操作端末１１から測定装置１０に送信し、測定装置１０が供給された日照量Ｓを探索コマンドに含めて配信するように構成してもよい。
【０１１４】
以上説明したように、実施形態３によれば、各太陽光発電パネル９の発電電圧Ｖ、発電電流Ｉ、温度Ｔなどを計測し、パネルＩＤに関連付けて取得することができる。このため、各太陽光発電パネル９の動作と状態を容易に可視化してユーザに提供できる。ユーザは、容易に、不良パネルの位置を特定し、点検・交換作業などの効率化に寄与できる。
【０１１５】
（変形例３）
実施形態３において、パネルＩＤに含める情報として、その傾斜角θも有効である。
【０１１６】
この場合、パネルＩＤに傾斜角θを含める場合、図１４に示すように、太陽光発電パネル９に、その傾斜角を求める追加センサ（以下、傾斜センサ）１３が配置する。太陽光発電の発電効率を高めるため、太陽光発電パネル９は、一般に２０〜２５°程度の傾斜をつけて設置される。このため、傾斜センサ１３により、上下（天地）の設置状況が判定される。この判定情報に従って、上下が逆に設置されている場合には、上端コイル８ｕと下端コイル８ｄの配置情報を補正（交換）して、処理する。これにより、太陽光発電パネル９の上下を誤って設置した場合でも、その配置の不具合を容易に特定することができる。
【０１１７】
太陽光発電パネル９Ｂが、傾斜センサ１３により、上下が逆であると判別したとする、この場合、太陽光発電パネル９Ｂの制御部２は、例えば、［（ｕ：Ｂ：ｄ：逆）］という応答信号を生成する。ここで「逆」とは、傾斜センサ１３が、太陽光発電パネル９の下端が上端よりも物理的に上に位置していると判別したことを意味する。この場合、測定装置１０の制御部１０ｃは、応答信号を［（ｄ：Ｂ：ｕ）］と修正して、処理を行う。
【０１１８】
（実施形態４）
上記の実施形態１〜３においては、コイル８を磁気通信のアンテナとしてのみ使用したが、コイル８を他の用途に併用することも可能である。
例えば、コイル８を電力供給に使用することも可能である。
この場合、例えば、図１２に示すように、制御部２にインバータ１２を接続し、その交流出力は各コイル８ｕ、８ｄ、８ｒ、８ｌに供給される。
【０１１９】
太陽光発電パネル９の制御部２は、例えば、定周期でインバータ１２を作動させ、コイル８ｕ、８ｄ、８ｒ、８ｌに間欠的に給電する。
一方、コイル８から電力の供給を受けて動作する機器は、コイル８に相互誘導するコイルを備える。
機器を使用する場合、ユーザは、機器のコイルをコイル８に対向させる。
コイル８に交流電力が供給されると、コイル８との相互誘導により、機器のコイルに電圧が誘導される。機器は、誘導された電圧で動作を開始し、コイルを介して、制御部２との間で必要な情報を交換する。
制御部２は、交換した情報により、機器を認証し、正しい機器ならば、インバータ１２を連続運転して、機器にコイル８を介して連続的に電力を供給する。
【０１２０】
このような構成とすれば、例えば、設置後の太陽光発電パネル９のマトリクスの端面に露出しているコイル８との電磁誘導により、電力を獲得して機器を動作させることができる。しかも、その機器と制御部２との間で、コイルを介して通信を行うことが可能である。
【０１２１】
（実施形態５）
以上の説明では、施工後に情報を収集する例を示した。
本発明は、これに限定されず、工場出荷時、搬送拠点、設置現場などで、パネルＩＤを読み取るようにしてもよい。このようにすることで流通経路での紛失や物の交換など製品のトレースが可能となる。この場合、各太陽光発電パネル９に光が当たる状態にし、そのパネルＩＤを読み取ればよい。
【０１２２】
ただし、太陽光発電パネル９に光を照射するためには、梱包を開くなどする必要がある。このような問題を避けるため、動作電力を外部から供給するように構成することも可能である。
【０１２３】
上記の構成例を説明する。
このような構成とする場合、図１５に示すように、収納ボックス７内に整流部１４を配置する。整流部１４は、コイル８の誘導起電力を整流し、制御部２に動作電力として供給する。
一方、リーダ装置１０は、図１６に示すように、インバータ回路１５ｅを備える。
【０１２４】
次に、工場からの出荷時や、施工現場への搬入時などに製品のＩＤの確認などを行う作業を例に、動作について説明する。
リーダ装置１５の制御部１５ｃは電源１５ｂのインバータ回路１５ｅにより、電力を交流に変換し、コイル１５ａに供給する。
リーダ装置１５のコイル１５ａを、太陽光発電パネル９のいずれかのコイル８に近づけると、コイル８には誘導起電力が発生する。整流部１４は、コイル８に発生した誘導起電力を整流して、制御部２に動作電力を供給する。
これにより、制御部２は動作を開始する。
【０１２５】
リーダ装置１５の制御部１５ｃは、コイル１５ａへの交流電力の供給と並行して、探索コマンドをコイル１５ａからコイル８に送信する。
制御部２は、探索コマンドを太陽光発電パネル９の何れかのコイル８を介して受信する。制御部２は、探索コマンドに応答して、上述の配置探索処理を行って、自己のパネルＩＤを含む応答信号を、リーダ装置１５に送信する。
【０１２６】
制御部１５ｃは、コイル１５ａを介してパネルＩＤを受信し、表示器１５ｄに送信する。表示器１５ｄは、受信したパネルＩＤを表示する。作業者は、太陽光発電パネル９が施工のための正規製品であるかを表示器１５ｄのＩＤを含む応答情報の表示を見て確認する。
なお、省電力のため、通常時は、コイル１５ａに間欠的に交流電圧を印加し、コイル１５ａと太陽光発電パネル９のいずれかのコイル８との磁気結合があったことを検出したときに、コイル１５ａに連続的に交流電圧を印加するようにしてもよい。
このように、パネルＩＤを読み取ることにより、正規品の確認、盗品の確認、製品の流通過程での物流管理などを非接触かつ梱包を解くことなく実施することが可能となる。
【０１２７】
また、上記実施例では、太陽光発電パネル９の工場出荷時、搬送過程、設置現場などでの施工前等に、太陽光発電パネル９のパネルＩＤを収集する例を説明した。この発明はこれに限定されず、太陽光発電パネル９を設置した後であっても、リーダ装置１５を太陽光発電パネル９にかざして、パネルＩＤを読み取ることで、流通経路での紛失や物の交換など製品のトレースが可能となる。
【０１２８】
なお、図１７に示すように、＋出力コネクタ１ｂに配置したコイル８ｐと、−出力コネクタ１ｄに配置したコイル８ｍに交番磁界を印加することにより、制御部２に動作電力を供給するように構成してもよい。
【０１２９】
以上の実施形態においては、コイル８を太陽光発電パネル９の端面に配置する構成例を示したが、コイル８の配置位置は、隣接するコイル８と相互誘導（通信）が確保できるならば、任意である。
例えば、図１８に示すように、太陽光発電パネル９の端部に段差を形成し、ここにコイルを配置してもよい。この場合、対向する二辺に形成する段差を図１８（ａ）に示すように構成し、他の二辺に形成する段差を図１８（ｂ）に示すように構成してもよい。
【０１３０】
また、図１９に示すように、太陽電池部１が薄膜太陽電池などの半導体プロセスと同様な工程で製造されるものの場合には、薄膜太陽電池の電極などを製造するプロセスでコイルのパターンを作りこみ、太陽電池部１の一部をコイル面として利用してもよい。
【０１３１】
この場合、太陽電池製造工程でコイルが形成されるため、製造コストの増加無く通信機能を付加することが可能となる。図２０は、このようなコイルの作り方をした場合の太陽光発電パネル９の構成図の例である。この例では、市松状に太陽光発電パネル９が重なるようパネルを製造し、設置時にはコイル部分が互いに重なるよう配置するものである。この構成を採用することにより、パネル面上に形成された上下のコイルは互いに結合し、効率よく通信を行うことが可能となる。また、図１９では四角いコイルの形状としたが、円形、三角形など別の形状であってもよい。
【０１３２】
さらに、図１〜図２０では四角いパネル形状としたが、図２１に示すような三角形や、六角形など互いに各辺が重なる形状のものであればよい。
【０１３３】
また、上記の実施形態では、磁気通信のため、コイルをアンテナとして使用したが、近距離非接触通信が可能ならば、コイルに代えて任意のアンテナを使用することも可能である。光通信でもかまわない。
【０１３４】
太陽光発電パネル９を保護する観点から、図２２に示すように、太陽光発電パネル９の全部または一部を外郭フレーム１６で覆うことが望ましい。外郭フレーム１６は、金属から形成されることが望ましい。しかし、通常の金属は、磁気を遮蔽する。このため、外郭フレーム１６の材料は、コイル８により発生する磁束が貫通できるよう、アルミ等の非磁性体の材料で構成している。耐熱性や強度が確保できれば、プラスチック等の樹脂材などで構成してもよい。
【０１３５】
本発明は、本発明の広義の精神と範囲を逸脱することなく、様々な実施の形態及び変形が可能とされるものである。また、上述した実施の形態は、本発明を説明するためのものであり、本発明の範囲を限定するものではない。つまり、本発明の範囲は、実施の形態ではなく、請求の範囲によって示される。そして、請求の範囲内及びそれと同等の発明の意義の範囲内で施される様々な変形が、本発明の範囲内とみなされる。
【符号の説明】
【０１３６】
１  太陽電池部、１ａ  ＋（正）極端子ボックス、１ｂ  ＋（正）出力コネクタ、１ｃ  −（負）極端子ボックス、１ｄ  −（負）出力コネクタ、２  制御部、２ａ  通信部、３  電源部、４  ＩＤ部、５  電流センサ、６  温度センサ、７  収納ボックス、８，８ａ，８ｂ，８ｃ，８ｄ，８ｅ，８ｆ，８ｇ，８ｐ，８ｍ  コイル、８ｕ  上端コイル、８ｄ  下端コイル、８ｒ  右端コイル、８ｌ  左端コイル、９，９ａ，９ｂ，９ｃ  太陽光発電パネル、１０  計測装置、１０ａ  コイル、１０ｂ  電源回路、１０ｃ  制御部、１０ｄ  無線モジュール、１１  操作端末、１２  インバータ、１３  追加センサ、１４  整流部、１５  リーダ装置、１５ａ  コイル、１５ｂ  電源、１５ｃ  制御部、１５ｄ  表示器、１５ｅ  インバータ回路、１６  外郭フレーム、１７  表示部
【図１】
0006005182.tif 000002
【図２】
0006005182.tif 000003
【図３】
0006005182.tif 000004
【図４】
0006005182.tif 000005
【図５】
0006005182.tif 000006
【図６】
0006005182.tif 000007
【図７】
0006005182.tif 000008
【図８】
0006005182.tif 000009
【図９】
0006005182.tif 000010
【図１０】
0006005182.tif 000011
【図１１】
0006005182.tif 000012
【図１２】
0006005182.tif 000013
【図１３】
0006005182.tif 000014
【図１４】
0006005182.tif 000015
【図１５】
0006005182.tif 000016
【図１６】
0006005182.tif 000017
【図１７】
0006005182.tif 000018
【図１８】
0006005182.tif 000019
【図１９】
0006005182.tif 000020
【図２０】
0006005182.tif 000021
【図２１】
0006005182.tif 000022
【図２２】
0006005182.tif 000023